(57)【要約】【課題】本発明は、無線ネットワーク端末と有線ネットワーク端末とを連接するためのネットワーク通信設備、及びこの通信設備を使用したネットワーク通信システムを提供する。本発明によれば、不同な端末の間における通信としても、相互通信の問題を考慮する必要がなく、通信システム中のユーザー用製品の開発時間と開発コストの削減を図ることができる。【解決手段】本発明に係るネットワーク通信設備は、構内ネットワーク制御モジュールと、プロセッサモジュールと、コードコンバーターとを備えている。該ネットワーク通信設備は、コードコンバーターによってネットワークからの信号のコード方式を変換させ、有線ネットワーク又は無線ネットワークに伝送する。また、該通信設備の内部にはコードコンバーターが装入されているので、ネットワーク端末に対して、一種のエンコード方式だけを支持すればよい。【選択図】図２
2006279949.tif 000002
【特許請求の範囲】
【請求項１】
無線ネットワーク端末と有線ネットワーク端末との間の信号を伝送するために用いられるネットワーク通信設備であって、
前記有線ネットワーク端末に第一類信号を発送し、又は前記有線ネットワーク端末からの第一類信号を受信するための構内ネットワーク制御モジュールと、
前記有線ネットワーク端末又は前記無線ネットワーク端末から受信した第一類信号に対して処理を行うためのプロセッサモジュールと、
前記プロセッサモジュールおよび前記無線ネットワーク端末に通信接続されて、前記有線ネットワークからの第一類信号と、前記無線ネットワークからの第二類信号との相互変換を行うためのコードコンバーターと、を含み、
前記ネットワーク通信設備の作動過程において、前記有線ネットワーク端末からの第一類信号が前記ネットワーク通信設備に伝送されてくる場合、該第一類信号は、前記構内ネットワーク制御モジュールを介して前記プロセッサモジュールに伝送されて処理され、そして前記コードコンバーターの変換作用によって第二類信号に変換されるが、該第二類信号は前記無線ネットワークを通して前記無線ネットワーク端末に伝送されること、又は、
前記無線ネットワーク端末からの第二類信号が無線伝送の方式によって前記ネットワーク通信設備に伝送されてくる場合、該第二類信号はコードコンバーターの変換作用によって第一類信号に変換されるが、該第一類信号は、前記プロセッサモジュールに伝送されて処理され、そして前記構内ネットワーク制御モジュールを介して前記有線ネットワーク端末に伝送されること、
を特徴とするネットワーク通信設備。
【請求項２】
前記第一類信号及び前記第二類信号はすべて音声コード信号であることを特徴とする請求項１に記載のネットワーク通信設備。
【請求項３】
前記ネットワーク通信設備は無線ブリッジ接続設備であることを特徴とする請求項１に記載のネットワーク通信設備。
【請求項４】
無線ネットワーク端末と、有線ネットワーク端末と、該無線ネットワーク端末と該有線ネットワーク端末との間の信号を伝送するために用いられるネットワーク通信設備と、を含むネットワーク通信システムであって、
前記ネットワーク通信設備は、前記有線ネットワーク端末に第一類信号を発送し、又は前記有線ネットワーク端末からの第一類信号を受信するための構内ネットワーク制御モジュールと、
前記有線ネットワーク端末又は前記無線ネットワーク端末から受信した第一類信号に対して処理を行うためのプロセッサモジュールと、
前記プロセッサモジュールおよび前記無線ネットワーク端末に通信接続されて、前記有線ネットワークからの第一類信号と、前記無線ネットワークからの第二類信号との相互変換を行うためのコードコンバーターと、を含み、
前記ネットワーク通信設備の作動過程において、前記有線ネットワーク端末からの第一類信号が前記ネットワーク通信設備に伝送されてくる場合、該第一類信号は、前記構内ネットワーク制御モジュールを介して前記プロセッサモジュールに伝送されて処理され、そして前記コードコンバーターの変換作用によって第二類信号に変換されるが、該第二類信号は前記無線ネットワークを通して前記無線ネットワーク端末に伝送されること、又は、
前記無線ネットワーク端末からの第二類信号が無線伝送の方式によって前記ネットワーク通信設備に伝送されてくる場合、該第二類信号はコードコンバーターの変換作用によって第一類信号に変換されるが、該第一類信号は、前記プロセッサモジュールに伝送されて処理され、そして前記構内ネットワーク制御モジュールを介して有線ネットワーク端末に伝送されること、
を特徴とするネットワーク通信システム。
【発明の詳細な説明】
【技術分野】
【０００１】
本発明はネットワーク通信設備に係り、特に、無線通信ネットワーク用のブリッジ接続設備、及び該ブリッジ接続設備を使用した通信システムに関するものである。
【背景技術】
【０００２】
従来の無線ブリッジ接続設備は、主に、従来の有線構内ネットワークと無線構内ネットワークとを接続して、両者の間で信号伝送を行うために用いられる。無線ネットワークボードが配置されているいずれかのコンピューター、又は無線構内ネットワークの標準に従う無線端末設備などは、無線ブリッジ接続設備を介して、有線構内ネットワーク乃至広域ネットワークにおける資源を共有することができる。共に、無線ブリッジ接続設備はネットワーク管理機能を有しているため、無線ネットワークボードが配置されているコンピューター又はその他の移動端末設備に対して、必要な管理及び制御を行うことができる。このような、無線ネットワークボードが配置されているいずれかのコンピューター、又は無線構内ネットワークの標準に従う無線端末設備などは、事務室又は建物の中にブリッジ接続設備を据え付けることにより、その事務室又は建物の中で自由に行動しても、ネットワークの接続状態を保持することができる。
【０００３】
現在、無線通信の発展に伴い、平日の生活及び仕事中においては、音声伝送技術の応用が普及されている。最新の音声伝送技術としては、無線構内ネットワークを利用して音声通話を行うことであるが、このような方法により、ユーザは現有しているネットワーク資源をもっと十分に利用することができる。更に、単純に通信費用から言うと、昔の類似な通話方式と比べて、このような方法によれば、かかる費用を削減することができる。
【０００４】
但し、無線構内ネットワークの中には、多様な音声伝送の圧縮コード（Ｃｏｄｅ）があるため、ネットワーク電話の相互通信の問題を考慮しなければならない。現在、ネットワーク中のブリッジ接続設備は、ほとんど音声コードの変換機能を持たないため、前記問題を解決するための普通の方法として、移動端末に音声コード変換機能を追加させる方法があるが、この方法によると、移動端末設備のコストが増加して、電信領域での発展が不利になる。
【発明の開示】
【発明が解決しようとする課題】
【０００５】
以上の問題点に鑑みて、内部にコードコンバーター（Ｃｏｄｅ Ｃｏｎｖｅｒｔｅｒ）を装入したネットワーク通信設備、又は、該設備を利用したネットワーク通信システムを提供して、不同なネットワーク端末設備の間で、相互通信を行うようにすることが必要になる。
【課題を解決するための手段】
【０００６】
次に、本発明に係る実施形態に基づいて、ネットワーク通信設備及びこれを利用したネットワーク通信システムを説明する。
【０００７】
本発明の実施形態に係るネットワーク通信設備は、構内ネットワーク制御モジュールと、プロセッサモジュールと、コードコンバーターと、を含む。該ネットワーク通信設備の作動過程において、前記無線ネットワーク端末からの信号が該ネットワーク通信設備に伝送されてきた場合、該信号は、前記コードコンバーターの特定な方式に従ってコード型の変換が行われ、前記プロセッサ制御モジュールに伝送されてパッケージング、圧縮、群分けなどの動作が行われ、そして前記構内ネットワーク制御モジュールを介して有線構内ネットワークに伝送される。
【０００８】
逆に、前記有線構内ネットワーク端末からの信号が該ネットワーク通信設備に伝送されてきた場合、該信号は、前記構内ネットワーク制御モジュールによって前記プロセッサ制御モジュールに伝送されてパッケージング、圧縮、群分け再送信などの動作が行われ、前記コードコンバーターに伝送されて、該コードコンバーターの作用によって相応的なコード型の変換が行われ、そして前記無線構内ネットワークに伝送される。
【０００９】
そして、本発明の実施形態に係るネットワーク通信システムは無線ネットワーク端末と、有線ネットワーク端末と、該無線ネットワーク端末と該有線ネットワーク端末との間の信号を伝送するために用いられるネットワーク通信設備と、を含んでおり、その中で、該ネットワーク通信設備は更に構内ネットワーク制御モジュールと、プロセッサモジュールと、コードコンバーターとを備えている。該ネットワーク通信設備の作動過程において、前記有線構内ネットワーク端末からの信号が該ネットワーク通信設備に伝送されてきた場合、該信号は、前記構内ネットワーク制御モジュールを通して前記プロセッサ制御モジュールに伝送され、その中でパッケージング、圧縮、群分け再送信などの動作が行われて、前記コードコンバーターに伝送され、該コードコンバーターの作用によって相応的なコード型の変換が行われ、そして前記無線ネットワーク端末に伝送される。
【００１０】
逆に、前記無線構内ネットワーク端末からの信号が前記ネットワーク通信設備に伝送されてきた場合、該信号は、前記コードコンバーターの特定な方式に従ってコード型の変換が行われ、前記プロセッサ制御モジュールに伝送されてパッケージング、圧縮、群分けなどの動作が行われ、そして前記構内ネットワーク制御モジュールを介して有線構内ネットワークに伝送される。
【発明の効果】
【００１１】
現在のＶｏＩＰ（Ｖｏｉｃｅ ｏｖｅｒ Ｉｎｔｅｒｎｅｔ Ｐｒｏｔｏｃｏｌ）技術の発展に伴い、特に、移動端末の介入及びデュアルモード携帯電話の出現等に伴って、いろいろなコード種類の信号がネットワークの中に存在しているため、ＶｏＩＰ技術においては、端末設備間での相互通信が実現できないという問題が発生しやすくなる。共に、ＶｏＩＰ技術は、市場での運営から言うと、発展方向が極端に端末設備に指向するのはあまりよくない。これらの問題を考慮して、本発明は、コードコンバーターを無線ブリッジ接続設備の内部に装入することにより、無線端末設備から提供される信号のコード化技術を減少して、該無線端末設備のコストの低減を図るとともに、ネットワークでの相互通信の問題を考慮する必要がなくなる。
【発明を実施するための最良の形態】
【００１２】
以下図面に基づいて、本発明の実施形態に係るネットワーク通信設備及びこれを使用したネットワーク通信システムに対して詳細に説明する。
【００１３】
図１に示すように、該図は本実施形態に係る通信システムを示す図である。該通信システムは、有線ネットワーク端末１０と、ネットワーク通信設備２０と、無線ネットワーク端末３０とを備えている。本実施形態における例えば普通のユーザ用の電話機などの有線ネットワーク端末１０は、電話アダプタ１２とインタネット５０により、前記ネットワーク通信設備２０に第一類信号を伝送することができる。ここで、該ネットワーク通信設備２０は無線ブリッジ接続設備であってもよい。また、該第一類信号は該ネットワーク通信設備２０の中で第二類信号に変換され、無線ネットワークを介して無線ネットワーク端末３０に伝送される。ここで、該無線ネットワーク端末３０は、デュアルモード携帯電話又はその他の無線端末設備から選ばれる。
【００１４】
また、前記無線ネットワーク端末３０から第二類信号が伝送されてくる場合、該信号は前記ネットワーク通信設備２０の中で第一類信号に変換され、インタネット５０を介して有線ネットワーク端末１０に伝送される。
【００１５】
本実施形態において、前記第一類信号はＧ．７２３又はＧ．７２９の音声コード信号であり、前記第二類信号はＧ．７１１の音声コード信号である。しかし、該第一類信号と第二類信号はこの種類に限定されるものではなく、これらの種類以外の信号で、相互に転換される通信ネットワークの伝送信号であってもよい。
【００１６】
図２示すように、該図は本実施形態に係るネットワーク通信設備２０のモジュールを示す図である。該ネットワーク通信設備２０は、構内ネットワーク制御モジュール２２と、プロセッサモジュール２４と、コードコンバーター２６とを備えている。該コードコンバーター２６は、独立的なＤＳＰ（Ｄｉｇｉｔａｌ Ｓｉｇｎａｌ Ｐｒｏｃｅｓｓｉｎｇ）ウェファーによって実現してもよいし、又は、該プロセッサモジュール２４の内部に装着されておいてもよい。該コードコンバーター２６は、無線ネットワーク端末３０と有線ネットワーク端末１０との、不同な信号のエンコード種類の変換に用いられる。
【００１７】
例えば、該無線ネットワーク端末３０からネットワーク通信設備２０として採用した無線ブリッジ接続設備に第二類信号を発送した場合、該コードコンバーター２６は、特定なコード変換方式に従って、受信した該第二類信号を第一類信号に変換して、前記プロセッサモジュール２４に伝送する。これらの第一類信号は、該プロセッサモジュール２４の中でパッケージング、圧縮、群分けなどの処理が行われた後、前記構内ネットワーク制御モジュール２２を介してインタネット５０に伝送される。
【００１８】
該ネットワーク通信設備２０が構内ネットワーク制御モジュール２２を介して、インタネット５０からの第一類信号を受信した場合、該第一類信号は、前記プロセッサモジュール２４に伝送されてパッケージング、圧縮、群分けなどの処理が行われ、その後特定なコード変換方式に従って第二類信号に変換され、無線ネットワークを介して無線ネットワーク端末３０に伝送される。
【００１９】
以上のような伝送経過において、前記コードコンバーター２６は無線ブリッジ接続設備２０の内部に装着されているので、有線ネットワーク端末１０か、又は無線ネットワーク端末３０かに関わらず、相手から発送された信号を直接受信することができて、両者の相互通信には問題が発生しない。
【００２０】
更に、端末設備に対しては、一種のエンコード方式だけを支持すればよい。例えば、端末設備が普通の電話機などの有線ネットワーク端末１０である場合は、Ｇ．７２９又はＧ．７２３の音声エンコード方式だけを支持するし、デュアルモード携帯電話などの無線ネットワーク端末３０である場合は、Ｇ．７１１の音声エンコード方式だけを支持すればよい。従って、この有線ネットワーク端末１０と無線ネットワーク端末３０の両者に対して、通信システムを介して直接音声通信を行うことができ、ネットワークでの相互通信の問題を考慮しなくてもよくなる。
【００２１】
本発明によれば、端末設備の開発における開発時間とコストを大幅に節約することができ、また、端末設備自身のコストの削減も図ることができる。
【図面の簡単な説明】
【００２２】
【図１】本発明の実施形態に係る通信システムを示す図である。
【図２】本発明の実施形態に係るネットワーク通信設備のモジュールを示す図である。
【符号の説明】
【００２３】
１０  有線ネットワーク端末
１２  電話アダプタ
２０  ネットワーク通信設備
２２  構内ネットワーク制御モジュール
２４  プロセッサモジュール
２６  コードコンバーター
３０  無線ネットワーク端末
５０  インタネット
【図２】
2006279949.tif 000003
【図１】
2006279949.tif 000004